(57)【特許請求の範囲】
【請求項１】
ドレンの開口に、排水可能に蓋をするキャップ本体と、前記ドレンの開口に挿入され、前記キャップ本体を前記ドレンの開口に固定する固定具と、を備えたドレンキャップであって、
前記キャップ本体と前記固定具を連結する連結部材を有し、
前記連結部材は、前記キャップ本体に取り付けられる部分となるキャップ取付部材と、前記固定具を支持する固定具支持部材と、前記キャップ取付部材と前記固定具支持部材を連結するアーム部材と、を備え、
前記アーム部材は、前記キャップ取付部材を、その一端側に上下方向に揺動可能に連結する第一の連結可動部と、前記固定具支持部材を、その他端側に上下方向に揺動可能に連結する第二の連結可動部と、を有し、
前記キャップ取付部材は、前記キャップ本体に形成された高さ方向に延びるガイド溝に対し移動可能に取り付けられていることを特徴とするドレンキャップ。
【請求項２】
前記キャップ本体は、内部空間を有するとともに、該内部空間に前記ドレンの開口が配されることで、前記ドレンの開口を立体的に覆うことを特徴とする請求項１に記載のドレンキャップ。
【請求項３】
前記連結部材の第一の連結可動部と第二の連結可動部は、前記キャップ本体の内部空間内に位置することを特徴とする請求項１又は２に記載のドレンキャップ。
【請求項４】
前記キャップ本体は、床と壁とのなす角度に合うように上下方向に揺動可能に連結された一対のキャップ構成部材で構成されていることを特徴とする請求項１乃至３のいずれか一項に記載のドレンキャップ。
【請求項５】
前記一対のキャップ構成部材は、同一金型で成形されたことを特徴とする請求項４に記載のドレンキャップ。
【発明の詳細な説明】
【技術分野】
【０００１】
本発明は、建築物のドレンに、排水可能に蓋をするドレンキャップに関する。
【背景技術】
【０００２】
ビルやマンション等の建築物の屋上や各階のベランダには、雨水を排水するドレンが設けられ、一般的に床面を貫通して下方向きに雨水を排水する縦引きドレンが設置され、そして、落ち葉、小枝、紙、又は、ビニール等（以下、落ち葉等と称する）が流れ込まないように、開口にドレンキャップが設置される。
【０００３】
しかし、床面の真下に部屋があるような場合は、縦引きドレンを設置することが困難である。このため、このような場合は、壁と床のなす隅部に横引きドレンが設置される。
【０００４】
この横引きドレンは、例えば、断面形状がＬ字形の山形の本体部と、この山形の本体部の隅部における中央部を連通し山側（外方）へ向かって筒状に延びる排水部と、を備えている。この排水部は、排水管が接続され、壁を貫通して横向きに雨水を排水するようになっている。また、この横引きドレンの開口には、ドレンキャップが設置され、落ち葉やゴミ等が排水部、そして、排水管に流れ込むのを防止している。
【０００５】
ドレンキャップは、横引きドレンの開口を排水可能に塞ぐキャップ本体と、このキャップ本体を横引きドレンに固定する板ばねと、を備えており、この板ばねは、その長手方向の中央部がキャップ本体の裏面側にビス留めされている。
【０００６】
そして、このドレンキャップは、設置者が板ばねの両端部を互いに近づかせて、両端部の間隔を横引きドレンの開口よりも小さくさせて排水部に挿入し、その後、この板ばねが自身の復元力によって撓まされた両端部の間隔が広がって、排水部の内周面に圧接する。以上によって、ドレンキャップは、板ばねの復元力を用いて横引きドレンに固定される。
【０００７】
ここで、横引きドレンは、設置される場所の面積や想定される降雨量などに基づいてその設置数量と開口の口径が決定されたり、設置される場所によって排水部が傾斜したものが選択されたりする。
【０００８】
以下、図１０、図１１、図１２を参照しながら、開口の径が異なったり筒状の排水部の傾斜角度が異なったりする横引きドレンについて、同一のドレンキャップを適用した場合を説明する。
【０００９】
図１０（Ａ）は、排水部１０１ａが水平方向に延びる横引きドレン１０１を、斜め上方から視た斜視図である。図１０（Ｂ）は、（Ａ）の横引きドレン１０１よりも管径の小さい配水部１０２ａを有した横引きドレン１０２を、斜め上方から視た斜視図である。図１０（Ｃ）は、（Ａ）の横引きドレン１０１の正面図である。図１０（Ｄ）は、（Ｂ）の横引きドレン１０２の正面図である。
【００１０】
以下、便宜上、図１０（Ａ）、（Ｃ）に示される横引きドレン１０１を、大径の横引きドレン１０１と称し、図１０（Ｂ）、（Ｄ）に示される横引きドレン１０２を、小径の横引きドレン１０２と称する。
【００１１】
図１１（Ａ）は、大径の横引きドレン１０１に対して、これに適合するドレンキャップ（以下、大径用のドレンキャップ１０１と称する）を設置した様子を示す断面図である。図１１（Ｂ）は、小径の横引きドレン１０２に対して、大径用のドレンキャップ１０６を設置した様子を示す断面図である。図１１（Ｃ）は、図１１（Ａ）のＸＩＣ矢視図である。図１１（Ｄ）は、図１１（Ｂ）のＸＩＤ矢視図である。
【００１２】
図１１（Ａ）、（Ｃ）に示すように、大径の横引きドレン１０１に、これに適合する大径用のドレンキャップ１０６が設置されると、ドレンキャップ１０６は、その板ばね１０７の両端部の間隔が排水部１０１ａの内径ｄと同じ間隔となり、且つ、図１１（Ａ）に示すように、板ばね１０７の両端部分（排水部１０１ａの内周面に対する接触部分）の延びる方向が排水部１０１ａの芯Ｃに対して平行となっている。この状態は、板ばね１０７がキャップ本体１０８を横引きドレン１０１に対して最も強固に固定する状態であり、以後、この状態を、板ばね１０７の理想固定状態と称する。
【００１３】
次に、図１１（Ｂ）、（Ｄ）に示すように、小径の横引きドレン１０２に大径用のドレンキャップ１０６を適用した場合を説明する。図１０（Ｃ）、（Ｄ）に示すように、管径が異なると、排水部１０２ａの芯Ｃの高さ位置が相違する。図によれば、芯Ｃの高さ位置は、ｈのズレが生じている。
【００１４】
小径の横引きドレン１０２に、大径用のドレンキャップ１０６を用いると、図１１（Ｂ）で示すとおり、板ばね１０７の両端の延びる方向が排水部１０２ａの芯Ｃに対して平行となっているものの、図１１（Ｄ）で示すとおり、板ばね１０７の両端部の間隔が排水部１０２ａの内径ｄ'よりも小さい間隔となる。板ばね１０７がこのような状態をとると、板ばね１０７は、排水部１０２ａの内周面から下向きの力を受ける。その結果、小径の横引きドレン１０２に対する大径用のドレンキャップ１０６の固定は、不安定なものとなる。
【００１５】
続いて、図１２に示すように、大径の排水部１０３ａが傾斜している横引きドレン１０３に大径用のドレンキャップ１０６を適用した場合を説明する。図１２は、大径の排水部１０３ａが傾斜する横引きドレン１０３に対して、大径用のドレンキャップ１０６を設置した様子を示した断面図である。
【００１６】
図１２に示すように、板ばね１０７は、その先端側へ向かえば向かうほど、排水部１０３ａの芯Ｃから外れていく。そして、その結果、板ばね１０７は、その先端側へ向かえば向かうほど大きくなる下向きの力を、排水部１０３ａの内周面から受け、横引きドレン１０３に対する大径用のドレンキャップ１０６の固定が不安定なものとなる。
【００１７】
これらの問題を解決するためのドレンキャップ１１１が特許文献１に開示されている。この特許文献１に記載のドレンキャップ１１１（以下、従来のドレンキャップ１１１と称する）を、図１３を参照しながら説明する。図１３（Ａ）は、従来のドレンキャップ１１１の正面図である。図１３（Ｂ）は、従来のドレンキャップ１１１を、横引きドレン１０３に対して取り付けた様子を示す断面図である。
【００１８】
従来のドレンキャップ１１１は、キャップ本体１１２を備え、このキャップ本体１１２にはガイド溝１１２ａが形成されている。そして、キャップ本体１１２は、ガイド溝１１２ａの表面側から雄ねじ１１３の軸が通されるとともに、この雄ねじ１１３が裏面側に配された移動金具１１４にねじ込まれることによって、移動金具１１４がキャップ本体１１２の裏面側に対して固定されている。そして、この移動金具１１４は、雄ねじ１１３を緩めるとガイド溝１１２ａに沿って移動可能となっている。そして、この移動金具１１４は、板ばね１１５を揺動可能に支持している。
【００１９】
図１３（Ｂ）に示すように、この従来のドレンキャップ１１１は、所定の箇所に配置される際に、雄ねじ１１３を緩めて移動金具１１４を点線から実線部分まで移動させて、移動金具１１４に支持される板ばね１１５を排水部１０３ａの芯Ｃの高さ位置に固定できる。
【００２０】
そして、この従来のドレンキャップ１１１は、板ばね１１５が揺動可能に支持されており、これを揺動させることによって、板ばね１１５の両端の延びる方向を排水部１０３ａの芯Ｃに対して平行にすることができる。従来のドレンキャップ１１１は、以上によって、排水部１０３ａの管径の違いと傾斜角度の違いを許容することができるようになっている。
【先行技術文献】
【特許文献】
【００２１】
【特許文献１】特開２００１−３２９６６６号公報
【発明の概要】
【発明が解決しようとする課題】
【００２２】
ここで、ドレンキャップは、床に近い低い高さ位置に設置されるものであるため、設置作業を行うにあたり、設置者が腰と膝を折り曲げてかがんだ状態で行う必要がある。
【００２３】
従来のドレンキャップは、設置者が高さ位置の調整作業を行おうとすると、かがんだ状態で、ドライバ等の工具を用いて雄ねじ１１３を緩めて移動可能とし、その上で移動金具１１４を適切な位置で保持し、そして、その状態でドライバ等の工具で雄ねじ１１３を締め付けることで移動金具１１４をガイド溝１１２ａに固定させていた。
【００２４】
しかしながら、設置者が腰や膝を折り曲げてかがんだ状態でこの作業を行うことは設置者にとって負担であり、更に取り付け性能が向上したドレンキャップが望まれていた。
【００２５】
そこで、本発明は、設置者が工具を用いずに固定具の位置を簡単に調整可能な、取り付け性能に優れたドレンキャップを提供することを目的とする。
【課題を解決するための手段】
【００２６】
本発明は、ドレンの開口に、排水可能に蓋をするキャップ本体と、前記ドレンの開口に挿入され、前記キャップ本体を前記ドレンの開口に固定する固定具と、を備えたドレンキャップであって、
前記キャップ本体と前記固定具を連結する連結部材を有し、
前記連結部材は、前記キャップ本体に取り付けられる部分となるキャップ取付部材と、前記固定具を支持する固定具支持部材と、前記キャップ取付部材と前記固定具支持部材を連結するアーム部材と、を備え、
前記アーム部材は、前記キャップ取付部材を、その一端側に上下方向に揺動可能に連結する第一の連結可動部と、前記固定具支持部材を、その他端側に上下方向に揺動可能に連結する第二の連結可動部と、を有し、
前記キャップ取付部材は、前記キャップ本体に形成された高さ方向に延びるガイド溝に対し移動可能に取り付けられていることを特徴とするものである。
【００２８】
前記キャップ本体は、内部空間を有するとともに、該内部空間に前記ドレンの開口が配されることで、前記ドレンの開口を立体的に覆うことを特徴としている。
【００２９】
前記連結部材の第一の連結可動部と第二の連結可動部は、前記キャップ本体の内部空間内に位置することを特徴としている。
【００３０】
前記キャップ本体は、床と壁とのなす角度に合うように上下方向に揺動可能に連結された一対のキャップ構成部材で構成されていることを特徴としている。
【００３１】
前記一対のキャップ構成部材は、同一金型で成形されたことを特徴としている。
【発明の効果】
【００３３】
本発明によれば、設置者が工具を用いずに固定具の位置を簡単に調整可能な、取り付け性能に優れたドレンキャップを提供することができる。
【図面の簡単な説明】
【００３４】
【図１】ドレンキャップを背面側から視た斜視図である。
【図２】連結部材とこれにビス留めされる板ばねを分解して示した斜視図である。
【図３】（Ａ）は平面型のドレンキャップを横引きドレンの開口から離して載置した様子を示す断面図であり、（Ｂ）は板ばね４が筒状の排水部の芯に沿うように、連結部材の二つの揺動部を調整した様子を示す断面図である。
【図４】排水部が傾斜する横引きドレンに、平面型のドレンキャップが設置された様子を示す断面図である。
【図５】（Ａ）は立体型のドレンキャップ２１を斜め上方から視た斜視図であり、図（Ｂ）は立体型のドレンキャップの一部を切断して背面側から視た斜視図である。
【図６】立体型のドレンキャップを横引きドレンに設置した様子を示す断面図である。
【図７】連結部材を有しない立体型のドレンキャップを横引きドレンに設置しようとした様子を示す断面図である。
【図８】立体・角度自在型のドレンキャップを斜め上方から視た斜視図である。
【図９】（Ａ）は、内部空間に手を入れられるように、キャップ本体を揺動させた様子を示す断面図である。（Ｂ）は、立体・角度自在型のドレンキャップを横引きドレンに設置した様子を示す断面図である。
【図１０】（Ａ）は排水部が水平方向に延びる横引きドレンを、斜め上方から視た斜視図であり、（Ｂ）は（Ａ）の横引きドレンよりも管径の小さい配水部を有した横引きドレンを、斜め上方から視た斜視図であり、（Ｃ）は（Ａ）の横引きドレンの正面図であり、（Ｄ）は（Ｂ）の横引きドレンの正面図である。
【図１１】（Ａ）は大径の横引きドレン１０１に対して、これに適合するドレンキャップ（以下、大径用のドレンキャップ１０１と称する）を設置した様子を示す断面図であり、（Ｂ）は、小径の横引きドレン１０２に対して、大径用のドレンキャップ１０６を設置した様子を示す断面図であり、（Ｃ）はＸＩＣ矢視図であり、（Ｄ）はＸＩＤ矢視図である。
【図１２】大径の排水部が傾斜する横引きドレンに対して、大径用のドレンキャップを設置した様子を示した断面図である。
【図１３】（Ａ）は、従来のドレンキャップの正面図である。（Ｂ）は、従来のドレンキャップを、横引きドレンに対して取り付けた様子を示す断面図である。
【発明を実施するための形態】
【００３５】
以下、本発明を実施するための形態の例（以下、実施例と称する）を、図１〜図９を参照しながら説明する。
【００３６】
＜平面型のドレンキャップ＞
平面型のドレンキャップ１の実施例を、図１〜図４を参照しながら説明する。図１は、平面型のドレンキャップ１を背面側から視た斜視図である。図２は、連結部材３とこれにビス留めされる板ばね４を分解して示した斜視図である。図１に示すように、平面型のドレンキャップ１は、キャップ本体２と、連結部材３と、板ばね４（固定具）と、を備えている。
【００３７】
キャップ本体２は、例えば、全体形状が山形をなすように中央部で折り曲げられた板状のもので断面形状が略Ｌ字形である。このキャップ本体２は、例えば、アルミニウムで成形される。そして、このキャップ本体２は、横引きドレン１０２の開口に、平面的に蓋をする部分である。
【００３８】
このキャップ本体２には、表面側に複数のリブ２ａが所定の間隔を空けて形成されている。所定の間隔とは、雨水は通すが落ち葉等は通さない大きさである。また、キャップ本体２には、連結部材３の一端側を高さ方向にガイドするガイド溝２ｂが形成されている。なお、キャップ本体２は、この構成に限定されず、キャップ本体２を二つの部材で構成するとともに、互いに揺動可能にして設置場所の角度に調整可能なものを採用しても良い。
【００３９】
連結部材３は、キャップ本体２と板ばね４を連結する部材であり、一端がキャップ本体２の裏面に固定され、他端に板ばね４が固定される。そして、この連結部材３は、キャップ本体２に取り付けられる部分から板ばね４の間に、屈曲するための可動部（揺動部３ａ，３ｂ）を二以上有した部材である。
【００４０】
図２を参照しながらこの連結部材３を詳細に説明する。図２は、連結部材３とビス５によって留められる板ばね４を分解して示した斜視図である。図２に示すように、連結部材３は、キャップ取付部材６と、アーム部材７と、板ばね支持部材８（固定具支持部材）と、を備えている。
【００４１】
キャップ取付部材６は、基端側に固定部６ａを有し、先端側に接続部６ｂを有している。基端側の固定部６ａは、キャップ本体２のガイド溝２ｂの裏面に、固定される部分となる。そして、先端側の接続部６ｂは、ピン穴６ｃを有し、ピン１０によって、アーム部材７と揺動可能に接続される部分となる。
【００４２】
板ばね支持部材８は、基端側に固定溝８ａを有し、先端側に接続部８ｂを有している。先端側の接続部８ｂは、ピン穴８ｃを有し、ピン１０によって、アーム部材７と揺動可能に接続される部分となる。基端側の固定溝８ａは、板ばね４の長手方向における中央部が配される部分である。板ばね４を固定溝８ａに固定する際は、例えば、ビス５によって留められる。
【００４３】
アーム部材７は、一端部７ａ及び他端部７ｂにそれぞれピン穴７ｃ，７ｄが形成されたアームである。このアーム部材７は、一端部７ａにキャップ取付部材６が揺動可能に取り付けられ、他端部７ｂに板ばね支持部材８が揺動可能に取り付けられる。
【００４４】
キャップ取付部材６と板ばね支持部材８がアーム部材７に接続されると、二つの揺動部３ａ，３ｂを有した連結部材３となる。以下、キャップ取付部材６側の揺動部を、キャップ側の揺動部３ａ（第一の連結可動部）と称し、板ばね支持部材側の揺動部を、板ばね側の揺動部３ｂ（第二の連結可動部）と称する。この連結部材３は、キャップ側の揺動部３ａを揺動させると板ばね側の揺動部３ｂが上下方向に揺動し、且つ、キャップ側の揺動部３ｂを揺動させると板ばね４が上下方向に揺動する。
【００４５】
板ばね４は、例えば、ステンレス鋼で短冊状に形成されている。この板ばね４は、その長手方向の中央部が連結部材３の他端である板ばね支持部材８の固定溝８ａに嵌め込まれてビス５によって留められ、その両端が自由な状態で支持される。この板ばね４の両先端部は、必要に応じて滑り止めの樹脂やゴムが被覆される。
【００４６】
図３を参照しながら、平面型のドレンキャップ１を横引きドレン１０２に設置する様子を説明する。図３（Ａ）は、平面型のドレンキャップ１を横引きドレン１０２の開口から離して載置した様子を示す断面図である。図３（Ｂ）は、板ばね４が筒状の排水部１０２ａの芯Ｃに沿うように、連結部材３の二つの揺動部３ａ，３ｂを調整した様子を示す断面図である。
【００４７】
図３（Ａ）に示すとおり、平面型のドレンキャップ１を横引きドレン１０２に設置する際は、先ず、平面型のドレンキャップ１を横引きドレン１０２の開口から離して置く。次に、横引きドレン１０２における排水部１０２ａの芯Ｃの高さ位置を把握するとともに、平面型のドレンキャップ１のキャップ側の揺動部３ａの高さ位置が排水部１０２ａの芯Ｃの高さ位置に対して一致しているか否かを判断する。図３（Ａ）で示す場合は、排水部１０２ａの芯Ｃの高さ位置と平面型のドレンキャップ１のキャップ側の揺動部３ａの高さ位置が不一致である。
【００４８】
この場合、連結部材３のキャップ側の揺動部３ａを揺動させて、板ばね側の揺動部３ｂの位置が排水部１０２ａの芯Ｃの高さ位置にほぼ一致するように調整し、そして、板ばね４の両端を撓ませて互いに平行にさせ、その両端の延びる方向が排水部１０２ａの芯Ｃに対してほぼ平行となるように板ばね側の揺動部３ｂを揺動させる。そうすると、図３（Ｂ）で示す状態となる。
【００４９】
その後、その状態を保ったまま板ばね４を横引きドレン１０２の開口に挿入させていく。そして、板ばね４の両端がある程度挿入されたら、板ばね４から手を離して平面型のドレンキャップ１を設置位置まで移動させる。
【００５０】
ここで、板ばね４の両端部の間隔が排水部１０２ａの内径よりも多少小さかったり板ばね４の両端の延びる方向が排水部１０２ａの芯Ｃに対して平行な状態から多少のズレがあったりしたとする。
【００５１】
この場合、板ばね４は、排水部１０２ａの内周面から応力を受けることにより、連結部材３の二つの揺動部３ａ，３ｂが揺動して、板ばね４の両端部の間隔が排水部１０２ａの内径に一致する間隔となるとともに、両端部分の延びる方向（排水部１０２ａの内周面の接触部分）が排水部１０２ａの芯Ｃに対して平行な状態をとる。
【００５２】
すなわち、本発明の平面型のドレンキャップ１の板ばね４は、排水部１０２ａの内周面によって、平面型のドレンキャップ１を横引きドレン１０２に対して最も強固に固定する理想固定状態に矯正される。
【００５３】
なお、本発明の平面型のドレンキャップ１は、上述した設置方法に限定されない。本発明の平面型のドレンキャップ１は、例えば、上述した様に排水部１０２ａの芯Ｃに対して位置合わせをせずに、板ばね４の両端を撓めて横引きドレン１０２の開口に挿入し、押し込んでいく設置方法でも良い。そのように挿入しても、板ばね４が排水部１０２ａの内周面から応力を受けることにより、連結部材３の二つの揺動部３ａ，３ｂが揺動して、板ばね４が理想固定状態に矯正される。
【００５４】
続いて、図４を参照しながら横引きドレン１０３の筒状の排水部１０３ａが傾斜している場合を説明する。図４は、排水部１０３ａが傾斜する横引きドレン１０３に、平面型のドレンキャップ１が設置された様子を示す断面図である。
【００５５】
図４に示すように、横引きドレン１０３の排水部１０３ａが傾斜していても、前述したとおり、板ばね４の両端を撓めて横引きドレン１０３の開口に挿入しさえすれば、板ばね４が排水部１０３ａの内周面から応力を受けることにより、連結部材３のキャップ側の揺動部３ａと板ばね側の揺動部３ｂが揺動して、板ばね４が最も固定力が高まる理想固定状態に矯正される。
【００５６】
＜立体型のドレンキャップ＞
立体型のドレンキャップ２１の実施例を、図５〜図７を参照しながら説明する。図５（Ａ）は、立体型のドレンキャップ２１を斜め上方から視た斜視図である。図５（Ｂ）は、立体型のドレンキャップ２１の一部を切断して背面側から視た斜視図である。図５に示すように、立体型のドレンキャップ２１は、キャップ本体２２と、連結部材３と、板ばね４と、を備えている。
【００５７】
なお、立体型のドレンキャップ２１は、キャップ本体２２を除き、その他の構成が上述した平面型のドレンキャップ１と同一であるため、上述した平面型のドレンキャップ１の実施例と同様の構成には同一の符号を付し、上述した平面型のドレンキャップ１の実施例の説明と重複することになる説明を省略する。
【００５８】
キャップ本体２２は、長辺と短辺を有した略矩形状の主排水面２２ａを有する。ここで、長辺とは、キャップ本体２２の幅方向に延びる辺のことをいい、短辺とは、キャップ本体２２の奥行方向に延びる辺のことをいう。そして、この長辺と短辺からは、支持脚２２ｆ，２２ｇが複数形成されている。
【００５９】
長辺に沿う方向（幅方向）に複数形成される支持脚２２ｆは、長さが同じ長さに形成され、外方へ向けて傾斜して延びている。また、短辺に沿って複数形成される支持脚２２ｇは、短辺に沿う方向（奥行方向）の中央部に位置する支持脚２２ｇが一番長く、端へ向かえば向かうほど、漸次短くなるように形成され、且つ、主排水面２２ａに対して直交する方向に延びるように形成されている。
【００６０】
また、短辺に沿って複数形成される支持脚２２ｇのうち最も短い長さの支持脚２２ｇは、長辺方向から延びる支持脚２２ｆよりも長くなるように形成されている。そして、この短辺及び長辺に沿って複数形成される支持脚２２ｆ，２２ｇは、側部排水面２２ｂ，２２ｃを構成し、支持脚２２ｆ，２２ｇの形成間隔から雨水を排水する側部排水面２２ｂ，２２ｃを構成する。
【００６１】
主排水面２２ａは、長辺方向の中央部から短辺方向に沿ってガイド溝２２ｄが二つ形成されている。また、このキャップ本体２２の主排水面２２ａには、ガイド溝２２ｄを挟んで二つ、計四つの開口が形成されている。
【００６２】
そして、この四つの開口のそれぞれには、斜めに延びる複数のリブ２２ｅが形成されている。ここで、主排水面２２ａは、リブ２２ｅが形成される側を表面側と称し、反対側を裏面側と称する。
【００６３】
この複数のリブ２２ｅは、雨水は通すが落ち葉等は通さない間隔に形成されるとともに、隣り合うリブ２２ｅの高さが交互に高いものと低いものとで形成されている。これによって、キャップ本体２２は、雨水に随伴される落ち葉等によって、主排水面２２ａが覆われたとしても水が流れる隙間が確保され、閉塞し難くなっている。
【００６４】
この複数のリブ２２ｅは、図中、左上と右下の開口に形成されるリブ２２ｅが、左側が上、右側が下となるように傾斜するように形成され、右上と左下に形成されるものが、左側が下、右側が上となるように傾斜するように形成される。これによって、主排水面２２ａを視る者に対して、杉葉模様の美観を与える。
【００６５】
側部排水面２２ｂ，２２ｃは、長辺方向に沿うように形成された矩形状のものと、短辺方向に沿うように形成された逆三角形状のものを有する。側部排水面２２ｂ，２２ｃを構成するいずれの支持脚も、支持脚２２ｆ，２２ｇの間隔は、雨水は通すが落ち葉等は通さない間隔に形成されている。
【００６６】
以上に説明した主排水面２２ａと、側部排水面２２ｂ，２２ｃと、を備えたキャップ本体２２は、例えば、アルミニウムで成形され、横引きドレン５１の開口に、立体的に排水可能に蓋をする部分である。以下、主排水面２２ａの裏面と、略逆三角形状の側部排水面２２ｂ，２２ｃと、で囲まれる空間を、キャップ本体２２の内部空間と称する。
【００６７】
このキャップ本体２２が横引きドレン５１の開口に蓋をする際は、主排水面２２ａが横引きドレン５１の開口から間隔を持って、開口に対して傾斜するように配置され、側部排水面２２ｂ，２２ｃが横引きドレン５１の開口を側方から囲むように位置する。
【００６８】
そして、図５（Ｂ）に示すとおり、このキャップ本体２２の内部空間には、連結部材３が配される。すなわち、連結部材３は、一端側が主排水面２２ａの表面側から雄ねじ１３によってガイド溝２２ｄに対して移動可能に固定され、他端側に板ばね４が固定される。この際、連結部材３は、内部空間内に収まる大きさである。すなわち、連結部材３のキャップ側の揺動部３ａと板ばね側の揺動部３ｂが内部空間内に位置する。
【００６９】
なお、この実施例において、キャップ本体２２がガイド溝２２ｄを有し、連結部材３の一端側が移動できる構成で説明したが、この構成は必須の構成ではなく、連結部材３は、キャップ本体２２の裏面側に移動不能に固定される構成でも良い。
【００７０】
以下、図６、図７を参照しながらこの立体型のドレンキャップ２１を横引きドレン５１に設置する様子を、連結部材３を有しない立体型のドレンキャップ６１と比較しながら説明する。図６は、立体型のドレンキャップ２１を横引きドレン５１に設置した様子を示す断面図である。横引きドレン５１の筒状の排水部５１ａには、排水管５２が接続されている。
【００７１】
立体型のドレンキャップ２１は、板ばね４の両端を撓ませて、その間隔を横引きドレン５１の開口よりも小さくさせて開口に挿入させていく。そうすると、図６に示すように、板ばね４は、排水部１０３ａの内周面から応力を受けることにより、連結部材３のキャップ側の揺動部３ａと板ばね側の揺動部３ｂが揺動し、板ばねが理想固定状態をとって、キャップ本体２２を横引きドレン５１の開口に固定させる。
【００７２】
続いて、図７を参照しながら、連結部材３を有しない立体型のドレンキャップ６１を、同じ横引きドレン５１に設置する様子を説明する。図７は、連結部材３を有しない立体型のドレンキャップ６１を横引きドレン５１に設置しようとした様子を示す断面図である。
【００７３】
図７に示すドレンキャップ６１は、ガイド溝２２ｄで高さ方向を調整し、キャップ取付部材６で板ばね４の両端の延びる向きを調整する型である。なお、他の構成は、全て同じものとする。
【００７４】
先ず、キャップ取付部材６を固定する雄ねじ１３（不図示）を、ドライバを用いて緩めてキャップ取付部材６を移動可能とし、キャップ取付部材６における揺動部３ａの高さ位置が、排水部５１ａの芯Ｃの高さ位置に一致する位置に合わせて固定させる。次に、板ばね４の両端の延びる方向が排水部５１ａの芯Ｃに沿うように、揺動部３ａを調整する。
【００７５】
ここで、本実施例の立体型のドレンキャップ２１やドレンキャップ６１のように、キャップ本体２２の主排水面２２ａが横引きドレン５１の開口に対して傾斜するように配置される場合、これに形成されたガイド溝２２ｄは、下方へ向かえば向かうほど、横引きドレン５１の開口から離れる。すなわち、ガイド溝２２ｄに案内されるキャップ取付部材６も下方へ向かえば向かうほど、横引きドレンの開口から離れることとなる。
【００７６】
このため、図７に示すように、ガイド溝２２ｄで高さ方向を調整し、揺動部３ａで板ばね４の両端の延びる向きを調整する型のドレンキャップ６１は、取り付け状況によって、板ばね４が横引きドレン５１の開口に十分に届かないおそれがあった。
【００７７】
しかしながら、本発明の立体型のドレンキャップ２１によれば、図６に示すように、連結部材３がキャップ側の揺動部３ａと板ばね側の揺動部３ｂを有するとともにアーム部材７を有していることによって、板ばね支持部材８を主排水面２２ａに対して移動させなくとも、板ばね４を横引きドレン５１の排水部５１ａの芯Ｃをとらえることができる。これによって、本発明の立体型のドレンキャップ２１は、連結部材３を有さない立体型のドレンキャップ６１のように取り付け状況によって板ばね４が届かない事態が生じるおそれがない。
【００７８】
＜立体・角度自在型のドレンキャップ＞
立体・角度自在型のドレンキャップ３１の実施例を図８及び図９を参照しながら説明する。図８は、立体・角度自在型のドレンキャップ３１を斜め上方から視た斜視図である。なお、立体・角度自在型のドレンキャップ３１は、キャップ本体３２を除き、その他の構成が上述した立体型のドレンキャップ２１と同一であるため、上述した立体型のドレンキャップ２１の実施例と同様の構成には同一の符号を付し、上述した立体型のドレンキャップ２１の実施例の説明と重複することになる説明を省略する。
【００７９】
キャップ本体３２は、一対のキャップ構成部材３２Ａ，３２Ｂと、この一対のキャップ構成部材３２Ａ，３２Ｂを一端部に沿って互いに回動自在に連結する連結ピン３３と、を備えている。
【００８０】
一対のキャップ構成部材３２Ａ，３２Ｂは、同一金型を用いたアルミダイカスト成型によって成形され同一形状となっている。キャップ構成部材３２Ａ（３２Ｂ）は、略矩形状の主排水面３２ａを有している。略矩形状を構成する長辺のうちの一辺は、もう片方のキャップ構成部材３２Ｂ（３２Ａ）と連結される側の辺となる。以下、長辺のうち連結される側の辺を連結辺（一端部）と称する。
【００８１】
主排水面３２ａは、その長辺方向（幅方向）に沿って二つの開口が形成されている。その開口には、斜めに開口を塞ぐリブ３２ｅが等間隔に複数形成されている。また、リブ３２ｅとリブ３２ｅとの間は、雨水を排水するスリットとなる。また、二つの開口の間には、短辺方向（奥行方向）に沿ってガイド溝３２ｄが形成されている。以下、リブ３２ｅが形成される側を表面側と称し、その反対側を裏面側と称する。
【００８２】
主排水面３２ａの連結辺からは、主排水面３２ａに直交する方向（裏面側）へ湾曲して延びる湾曲部３２ｈが連結辺に沿って八個形成されている。この八個の湾曲部３２ｈのうち両端の湾曲部３２ｈには、短辺方向に貫通する貫通孔３７が形成されている。この貫通孔３７は、主排水面３２ａの裏面側から離れた位置に形成されている。
【００８３】
主排水面３２ａの長辺のうち連結辺でない方の長辺には、長さが等しく形成され、外方へ向けて傾斜して延びる支持脚３２ｆが複数形成されている。また、主排水面３２ａの短辺には、短辺方向に沿って手前から奥へ向かって等間隔に、第一の支持脚３１ｇ１、第二の支持脚３２ｇ２、第三の支持脚３２ｇ３、第四の支持脚３２ｇ４が主排水面３２ａに対して直交する方向に延びるように形成されている。この長辺及び短辺に沿って形成される複数の支持脚３２ｆ，３２ｇは、複数で側部排水面３２ｂ，３２ｃを構成する。
【００８４】
この四本の支持脚３２ｇ１，３２ｇ２，３２ｇ３，３２ｇ４は、短辺方向（奥行方向）の手前から奥へ向かって等間隔に形成されている。そして、第一の支持脚３２ｇ１、第二の支持脚３２ｇ２、第三の支持脚３２ｇ３、第四の支持脚３２ｇ４は、連結辺側でない側から連結辺側に向かうに従って主排水面３２ａから先端までの長さが長くなるように形成されている。
【００８５】
ここで、第四の支持脚３２ｇ４は、主排水面３２ａから先端までの距離が、第三の支持脚３２ｇ３のその距離とほぼ同じ長さになっている。また、第四の支持脚３２ｇ４は、連結辺に形成された八個の湾曲部３２ｈのうちの端の湾曲部３２ｈから延びている。この第四の支持脚３２ｇ４は、先端を側面視すると円弧になっている。
【００８６】
これに対し、第一の支持脚３２ｇ１、第二の支持脚３２ｇ２、第三の支持脚３２ｇ３は、短辺から延び、立体・角度自在型のドレンキャップ３１を横引きドレン５１に載置した際に揃って面接触するように先端の一部が切断されて平坦面を有する。
【００８７】
キャップ構成部材３２Ａ（３２Ｂ）は、以上に説明した主排水面３２ａと、長辺及び短辺に沿って形成される複数の支持脚３２ｆ，３２ｇによって構成される側部排水面３２ｂ，３２ｃと、によって横引きドレン５１を立体的に覆う部分を構成する。
【００８８】
一対のキャップ構成部材３２Ａ，３２Ｂは、連結辺の湾曲部３２ｈを、互い違いに組み合わせ、第四の支持脚３２ｇ４に形成された貫通孔３７に、スプリングピン３３（連結ピン）を配して連結辺に沿って互いに回動自在に連結される。このスプリングピン３３が配される位置は、主排水面３２ａから離れた位置である。ここで、スプリングピン３３は、弾性のある板を円筒状に丸め、径方向にばね作用を生じる。
【００８９】
また、一対のキャップ構成部材３２Ａ，３２Ｂは、主排水面３２ａから離れた湾曲部３２ｈのスプリングピン３３によって回動自在に連結される。また、第四の支持脚３２ｇ４は、連結された湾曲部３２ｈから延びている。これによって、一対のキャップ構成部材２Ａ，２Ｂは、第四の支持柱３２ｇ４，３２ｇ４が互いにスプリングピン３３の回動軸方向に沿って重なっている。ここで、回動軸方向は、主排水面３２ａの長辺方向（図中の幅方向）と平行である。
【００９０】
以上に説明したキャップ構成部材３２Ａ，３２Ｂをスプリングピン３３によって互いに揺動可能に組み合わせるとキャップ本体３２となる。このキャップ本体３２は、その内部空間に収まるように連結部材３が配される。具体的には、この連結部材３は、一端側がガイド溝３２ｄの裏面側に雄ねじ１３によって固定される。また、この連結部材３は、他端側に板ばね４が固定される。
【００９１】
また、このキャップ本体３２は、床と壁の隅部に配置された横引きドレン５１の開口を排水可能に覆うために、横引きドレン５１の水平部（床）と垂直部（壁）とのなす角度に調整でき、スプリングピン３３によって、その状態が保持される。
【００９２】
この際、回動軸方向に沿って重ねられた内方側の第四の支持脚３２ｇ４が、外方側の第四の支持脚３２ｇ４と第三の支持脚３２ｇ３の間に現れて、雨水を排水する開口が大きくならないようになっている（図９Ａ参照）。これによって、落ち葉等が横引きドレン５１の開口に流れ込むのが防止される。
【００９３】
以下、キャップ本体３２のうち床側に配されるキャップ構成部材を床側キャップ構成部材３２Ａと称し、壁側に配されるキャップ構成部材を壁側キャップ構成部材３２Ｂと称する。
【００９４】
図９を参照しながら、立体・角度自在型のドレンキャップ３１を、横引きドレン５１に設置する様子を説明する。図９（Ａ）は、内部空間に手を入れられるように、キャップ本体を揺動させた様子を示す断面図である。図９（Ｂ）は、立体・角度自在型のドレンキャップ３１を横引きドレン５１に設置した様子を示す断面図である。
【００９５】
先ず、立体・角度自在型のドレンキャップ３１を、横引きドレン５１の開口から離して横引きドレン５１の上に載置する。そして、壁側のキャップ構成部材２Ｂを図に示すように揺動させて、キャップ本体３２の内部空間に、設置者の手を上から入れることができる状態とする。この状態は、スプリングピン３３によって、図９（Ａ）に示す立体・角度自在型のドレンキャップ３１の状態で保持される。
【００９６】
次に、設置者は、上から内部空間に手を入れ、板ばね４の両端の間隔が横引きドレン５１の開口径よりも小さくなるように撓ませる。そして、床側のキャップ構成部材２Ａを横引きドレン５１の床を滑らせながら、板ばね４の先端を横引きドレン５１の開口に挿入させていく。
【００９７】
そして、板ばね４の両先端が横引きドレン５１の開口内に挿入されたら、壁側のキャップ構成部材２Ｂを揺動させて、設置を完了させる。この際、板ばね４は、理想固定状態になっていなくとも、排水部５１ａの内周面から応力を受けることによって、連結部材３の二つの揺動部３ａ，３ｂが揺動して理想固定状態に矯正される。
【００９８】
＜効果＞
本発明のドレンキャップ１（２１，３１）によれば、キャップ本体２（２２，３２）と板ばね４を連結する連結部材３を有するとともに、その連結部材３が二つの揺動部３ａ，３ｂ（屈曲するための可動部）を有している。これによって、二つの揺動部３ａ，３ｂを可動させることによって、設置者が工具を用いずに板ばね４の姿勢を調整できる。
【００９９】
そして、板ばね４を横引きドレン５１の排水部５１ａに挿入後は、板ばね４が排水部５１ａの内周面から応力を受けるとともに、二つの揺動部３ａ，３ｂ（第一の可動連結部と第二の可動連結部）が揺動し、板ばね４が自動的に理想固定状態に矯正される。
【０１００】
また、本発明のドレンキャップ１（２１，３１）を構成する連結部材３は、キャップ本体２（２２，３２）に対する取り付け部分となるキャップ取付部材６と、板ばね４を支持する板ばね支持部材８（固定具支持部材）と、キャップ取付部材６と板ばね支持部材８を連結するアーム部材７と、を備えている。そして、アーム部材７は、キャップ取付部材６をその一端（一端側）に揺動可能に連結するキャップ側の揺動部３ａと、板ばね支持部材８をその他端に揺動可能に連結する板ばね側の揺動部３ｂと、を有している。これによって、キャップ側の揺動部３ａが揺動することで板ばね４の高さ位置を調整でき、板ばね側の揺動部３ｂが揺動することで板ばね４の先端側の延びる方向を調整できる。
【０１０１】
そして、板ばね４を横引きドレン５１の排水部５１ａに挿入後は、板ばね４が排水部５１ａの内周面から応力を受けるとともに、キャップ側の揺動部３ａと板ばね側の揺動部３ｂが揺動し、板ばね４が自動的に理想固定状態に矯正される。
【０１０２】
また、本発明のドレンキャップ（２１，３１）は、キャップ本体２２，３２が内部空間を有するとともに、その内部空間に横引きドレン５１の開口が配されることで、横引きドレン５１の開口が立体的に覆われる。これによって、落ち葉等により覆われて閉塞され、雨水が横引きドレン５１から排水できなくなるおそれが少なくなる。
【０１０３】
また、本発明のドレンキャップ２１（３１）は、連結部材３のキャップ側の揺動部３ａと板ばね側の揺動部３ｂが、キャップ本体２２（３２）の内部空間内に位置し、内部空間内で揺動する。すなわち、連結部材３は、横引きドレン５１の排水部５１ａで折れ曲がることなく、連結部材３が排水部５１ａ内の雨水の流れに与える影響が少ない。
【０１０４】
また、本発明のドレンキャップ３１は、キャップ本体３２が、一対のキャップ構成部材３２Ａ，３２Ｂを備えている。そして、この一対のキャップ構成部材３２Ａ，３２Ｂは、設置する場所の床と壁とのなす角度に合うように揺動可能に連結され、一方のキャップ構成部材２Ａを床に載置した状態で、他方のキャップ構成部材２Ｂを壁から離れるように揺動させると、板ばね４に対して作業が可能な開口がキャップ本体３２に現れる。これによって、ドレンキャップ３１を横引きドレン５１の開口の近くに設置後、キャップ本体３２の内部空間内に位置する板ばね４を撓めて横引きドレン５１の開口に挿入することができる。
【０１０５】
また、本発明のドレンキャップ３１は、キャップ本体３２を構成する一対のキャップ構成部材３２Ａ，３２Ｂが、同一金型で成形されている。これによって、本発明のドレンキャップ３１は、コストを抑えることができる。
【０１０６】
また、本発明のドレンキャップ１（２１，３１）は、キャップ本体２（２２，３２）がガイド溝２ｂ（２２ｄ，３２ｄ）を有し、連結部材３の一端側がガイド溝２ｂ（２２ｄ，３２ｄ）に対して移動可能に取り付けられている。これによって、予めキャップ取付部材６の位置を変更することによって、開口の違いをより大きく許容することができる。
【０１０７】
なお、本発明のドレンキャップは、上述の実施例にのみ限定されない。例えば、連結部材３の可動部をピン接合で説明したがこの構成に限定されない。ここで、可動部とは、屈曲するための間節部分のことをいう。連結部材３の可動部は、例えば、ユニバーサルジョイント、ボールジョイントとする構成としても良い。
【０１０８】
また、連結部材３は、フレキシブルアームを採用し、その基端をキャップ本体の裏面に取り付け、先端に固定具である板ばね４を固定する構成としても良い。
【０１０９】
本発明のドレンキャップは、それぞれの実施例で説明した構成は、全て他の実施例に転用することができる他、その要旨を逸脱しない範囲内において種々変更を加えることができる。
【符号の説明】
【０１１０】
１  平面型のドレンキャップ
２  キャップ本体
２ｂ  ガイド溝
３  連結部材
３ａ  揺動部（キャップ側の揺動部、第一の連結可動部）
３ｂ  揺動部（板ばね側の揺動部、第二の連結可動部）
４  板ばね（固定具）
６  キャップ取付部材
７  アーム部材
８  板ばね支持部材（固定具支持部材）
２１  立体型のドレンキャップ
２２  キャップ本体
２２ａ  主排水面
２２ｂ  側部排水面
２２ｃ  側部排水面
２２ｄ  ガイド溝
３１  立体・角度自在型のドレンキャップ
３２  キャップ本体
３２Ａ  キャップ構成部材
３２Ｂ  キャップ構成部材
３２ａ  主排水面
３２ｂ  側部排水面
３２ｃ  側部排水面
３３  連結ピン
３４  主排水面
５１  横引きドレン
５１ａ  排水部
５２  排水管
６１  ドレンキャップ
Ｃ  芯
【図１】
0006523699.tif 000002
【図２】
0006523699.tif 000003
【図３】
0006523699.tif 000004
【図４】
0006523699.tif 000005
【図５】
0006523699.tif 000006
【図６】
0006523699.tif 000007
【図７】
0006523699.tif 000008
【図８】
0006523699.tif 000009
【図９】
0006523699.tif 000010
【図１０】
0006523699.tif 000011
【図１１】
0006523699.tif 000012
【図１２】
0006523699.tif 000013
【図１３】
0006523699.tif 000014